(57)【要約】      （修正有）【課題】サッカーボール状ライトを提供する。【解決手段】球状のライト本体は、螺合設置された上部及び下部球状のブラケット１０，６と、小球面３とを備え、上部及び下部球状のブラケット１０，６の接続面上には、互いに嵌合する円弧状の係合溝と係合ボスとが一体成形で設置されており、上部及び下部球状のブラケット１０，６上には、それぞれ３つの取り付け凹面７が均一に設置され、小球面３は、取り付け凹面７に嵌合して設置される。本考案は、構造が簡単であり、組み立てが容易であり、球面空間に六面対称的に分布するＬＥＤ光源により発熱源の分散分布と三次元空間での輝度の均衡的な分布とを実現する。また球状のライト本体４が、ＡＤＣ１２アルミ合金を支持フレームとして用いることで、良好な熱伝導性能及び比較的高い機械的強度を有し、これとともに、製品の金属質感を増強させる。【選択図】図２
0003185399.tif 000002
【実用新案登録請求の範囲】
【請求項１】
口金と、口金の上方に嵌合して設置された球状のライト本体と、制御回路とを備えるサッカーボール状ライトであって、
前記球状のライト本体が、螺合設置された上部球状のブラケット及び下部球状のブラケットと、小球面とを備え、
前記上部球状のブラケットと下部球状のブラケットとの接続面上には、円弧状の係合溝と係合ボスとが一体成形で設置されており、
前記円弧状の係合溝と係合ボスとが間隔を置いて設置され、
上部球状のブラケットの円弧状の係合溝が下部球状のブラケットの係合ボスと、上部球状のブラケットの係合ボスが下部球状のブラケットの円弧状の係合溝と、それぞれ互いに嵌合し、
上部及び下部球状のブラケット上には、それぞれ３つの取り付け凹面が均一に設置され、
前記小球面は、取り付け凹面に嵌合して設置されることを特徴とするサッカーボール状ライト。
【請求項２】
前記小球面は６つあり、各小球面上に３つの弾性バックルが均一に設置されている請求項１記載のサッカーボール状ライト。
【請求項３】
前記取り付け凹面上に３つのバックル孔が均一に設置されている請求項１又は請求項２記載のサッカーボール状ライト。
【請求項４】
前記弾性バックルと前記バックル孔とが嵌合する請求項３記載のサッカーボール状ライト。
【請求項５】
前記球状のライト本体には、ＡＤＣ１２アルミ合金が用いられている請求項１〜請求項４いずれか１項記載のサッカーボール状ライト。
【請求項６】
前記制御回路は、第１の駆動回路基板と第２の駆動回路基板とを備え、前記第１の駆動回路基板は、球状のライト本体の内部に取り付けられ、前記第２の駆動回路基板は、口金の内部に取り付けられ、前記第１の駆動回路基板及び第２の駆動回路基板は、耐高温絶縁線によって互いに接続される請求項１〜請求項５いずれか１項記載のサッカーボール状ライト。
【請求項７】
小球面はＰＣ材料からなる請求項１〜請求項６いずれか１項記載のサッカーボール状ライト。
【請求項８】
前記取り付け凹面内には、少なくとも１つのＬＥＤが設置され、前記ＬＥＤは、前記制御回路に対して電気的に接続される請求項１〜請求項７いずれか１項記載のサッカーボール状ライト。
【請求項９】
下部球状のブラケットの下端に、口金と球状のライト本体とを一体接続させる接続部品が一体成形で設けられている請求項１〜請求項８いずれか１項記載のサッカーボール状ライト。
【請求項１０】
６つの前記取り付け凹面が球面空間に六面対称的に分布している請求項１〜請求項９いずれか１項記載のサッカーボール状ライト。
【考案の詳細な説明】
【技術分野】
【０００１】
本考案は、照明灯具技術分野に属し、具体的にはサッカーボール状ライトに関する。
【背景技術】
【０００２】
灯具は、人々の日常生活に不可欠な照明器具であり、その種類と機能がますます多様になっている。従来のサッカーボール状のライト本体の多くは、全体的に一つに又は複数枚の小球面の部材から直接組み立てられて構成され、発光源が球体内部の中央位置に配置されており、従来の白熱灯や蛍光灯管を用いている。このような構造を用いたサッカーボール状のライト本体には、球体の内部に球面に対する有効な支承部がなく、落下衝撃や衝突に対する耐性が比較的弱い。また、製造組立工程が複雑であり、製造及び使用の過程で変形したり損傷を受けたりしやすいといった課題もある。また、白熱灯の発熱量は大きいため発光効率が低く、蛍光灯管は水銀などの非環境保護材を使用しているため、両者とも省エネ及び環境保護の要求に合わない。さらに、光源が中心に位置しているため放熱性がよくなく、灯具の出力が比較的低いため照明の役割が限定されるという課題も存在している。
【考案の概要】
【考案が解決しようとする課題】
【０００３】
従来技術に存在する課題を鑑みて、本考案は、サッカーボール状ライトを提供することを目的とする。
【課題を解決するための手段】
【０００４】
本考案は、以下の技術案によって実現する。
【０００５】
本考案にかかるサッカーボール状ライトは、口金と、口金の上方に設置された球状のライト本体と、制御回路とを備えており、前記球状のライト本体が、螺合設置された上部球状のブラケット及び下部球状のブラケットと、小球面とを備え、前記上部球状のブラケットと下部球状のブラケットとの接続面上には、円弧状の係合溝と係合ボスとが一体成形で設置されており、前記円弧状の係合溝と係合ボスとが、間隔を置いて設置されており、上部球状のブラケットの円弧状の係合溝が下部球状のブラケットの係合ボスと、上部球状のブラケットの係合ボスが下部球状のブラケットの円弧状の係合溝と、それぞれ互いに嵌合し、上部及び下部球状のブラケット上には、それぞれ３つの取り付け凹面が均一に設置されており、前記小球面は、取り付け凹面に嵌合して設置されることを特徴としている。
【０００６】
前記サッカーボール状ライトにおいて、前記小球面は６つあり、各小球面上に３つの弾性バックルが均一に設置されていることを特徴としている。
【０００７】
前記サッカーボール状ライトにおいて、前記取り付け凹面上に３つのバックル孔が均一に設置されていることを特徴としている。
【０００８】
前記サッカーボール状ライトにおいて、前記弾性バックルと前記バックル孔とが嵌合することを特徴としている。
【０００９】
前記サッカーボール状ライトにおいて、前記球状のライト本体には、ＡＤＣ１２アルミ合金が用いられていることを特徴としている。
【００１０】
前記サッカーボール状ライトにおいて、前記制御回路は、第１の駆動回路基板と第２の駆動回路基板とを備え、前記第１の駆動回路基板は、球状のライト本体の内部に取り付けられ、前記第２の駆動回路基板は、口金の内部に取り付けられ、前記第１の駆動回路基板及び第２の駆動回路基板は、耐高温絶縁線によって互いに接続されることを特徴としている。
【００１１】
前記サッカーボール状ライトにおいて、小球面はＰＣ材料からなることを特徴としている。
【００１２】
前記サッカーボール状ライトにおいて、前記取り付け凹面内には、少なくとも１つのＬＥＤが設置され、前記ＬＥＤは、前記制御回路に対して電気的に接続されることを特徴としている。
【００１３】
前記サッカーボール状ライトにおいて、下部球状のブラケットの下端に、口金と球状のライト本体とを一体接続させる接続部品が一体成形で設けられていることを特徴としている。
【００１４】
前記サッカーボール状ライトにおいて、６つの前記取り付け凹面が球面空間に六面対称的に分布していることを特徴としている。
【考案の効果】
【００１５】
本考案は、構造が簡単であり、生産組立が容易であり、球面空間に六面対称的に分布するＬＥＤ光源により、発熱源の分散分布と、三次元空間での輝度の均衡的な分布とを実現する。また球状のライト本体が、ＡＤＣ１２アルミ合金を支持フレームとして用いることで良好な熱伝導性能及び比較的高い機械的強度を有し、これとともに、製品の金属質感を増強させる。さらに、中空の上部及び下部球状のブラケットにより放熱性を向上させ、スプリット設置された駆動回路基板が、球状のライト本体の内部及び口金の限られた空間を有効に利用することができる。
【図面の簡単な説明】
【００１６】
【図１】図１は、本考案の構造模式図である。
【図２】図２は、図１の分解図である。
【図３】図３は、本考案の球状のライト本体の分解図である。
【考案を実施するための形態】
【００１７】
以下、本考案を、図面を参照しながら、さらに詳細に説明する。また、具体的な実施形態を提供する。
【００１８】
図１〜３で示すように、本考案にかかるサッカーボール状ライトは、口金１と、ＰＣ材料から製造された小球面（中空の球体を平面で分割した一方のような形状からなる分割球体）３と、口金１の上方に嵌合して設置された球状のライト本体４と、制御回路とを備える。球状のライト本体４には、ＡＤＣ１２アルミ合金が用いられている。ＡＤＣ１２は、日本産のアルミ合金ブランド番号であって１２＃アルミ材とも称されており、ダイカストアルミ合金である。球状のライト本体４は、上部球状のブラケット１０と、下部球状のブラケット６とを備える。上部球状のブラケット１０及び下部球状のブラケット６は、その上に設置されたネジ孔によって螺合設置される。上部球状のブラケット１０と下部球状のブラケット６との接続面上には、円弧状の係合溝１２と係合ボス１３とがさらに一体成形で設置されている。円弧状の係合溝１２と係合ボス１３とが間隔を置いて設置されており、且つ、上部球状のブラケット１０の円弧状の係合溝１２は下部球状のブラケット６の係合ボス１３と、上部球状のブラケット１０の係合ボス１３は下部球状のブラケット６の円弧状の係合溝１２と、それぞれ互いに嵌合する。上部球状のブラケット１０及び下部球状のブラケット６上には、それぞれ３つの取り付け凹面７が設置されている。３つの取り付け凹面７の内部には、複数のＬＥＤライト５が取り付けられて設置されている。上部球状のブラケット１０と下部球状のブラケット６とが一体に螺合してなる６つの取り付け凹面７は、球状のライト本体４上に六面対称的に分布している。各取り付け凹面７上には、３つのバックル孔１４が均一に設置され、小球面３の内側エッジには、３つの弾性バックル８が均一に設置されており、弾性バックル８とバックル孔１４とを嵌合させることにより、小球面３を取り付け凹面７にスナップ留めして設置する。下部球状のブラケット６の下端には、接続部品２が一体成形で設置されており、接続部品２は、口金１と球状のライト本体４とを有効に一体接続させるとともに、球状のライト本体４の美観を向上させる。
【００１９】
制御回路は、第１の駆動回路基板１１と第２の駆動回路基板９とを備える。第１の駆動回路基板１１は、球状のライト本体４の内部に取り付けられ、第２の駆動回路基板９は、口金１の内部に取り付けられる。第１の駆動回路基板１１及び第２の駆動回路基板９は、耐高温絶縁線によって互いに接続される。スプリット設計されたＬＥＤ光源駆動回路は、球状のライト本体４の内部及び口金１の限られた空間を有効に利用する。
【００２０】
使用時には、上部球状のブラケット１０と下部球状のブラケット６とを一体に螺合設置した後、第１の駆動回路基板１１と第２の駆動回路基板９がそれぞれ球状のライト本体４の内部と口金１の内部に取り付けられる。必要に応じて、６つの取り付け凹面７上にそれぞれ相応の個数のＬＥＤライト５を設置して、ＬＥＤ光源が駆動回路に対して電気的に接続される。取り付けが完成してから、小球面３を取り付け凹面７に対してスナップ留めして設置すればよい。サッカーボール状ライトの口金１をライトホルダに挿入して通電すれば、美観がよくすっきりした照明器具又は照明兼観賞灯具として使用される。
【符号の説明】
【００２１】
１−口金
２−接続部品
３−小球面
４−球状のライト本体
５−ＬＥＤライト
６−下部球状のブラケット
７−取り付け凹面
８−弾性バックル
９−第２駆動回路基板
１０−上部球状のブラケット
１１−第１駆動回路基板
１２−円弧状の係合溝
１３−係合ボス
１４−バックル孔
【図１】
0003185399.tif 000003
【図２】
0003185399.tif 000004
【図３】
0003185399.tif 000005